(57)【要約】【課題】浴槽パン内での作業性を向上でき、逆流した水が漏れ出すことを防止できる排水構造を提供することを課題とする。【解決手段】  浴槽パン３の底部７から上方に開口する溝部１１を下方に向けて突出すると共に該溝部１１に作業用開口部１６を貫通形成する。作業用開口部１６にシーリング材２１を介して取り付けられて作業用開口部１６を閉塞する蓋２０を備える。該蓋２０に排水路挿通口２４を形成する。浴槽パン３で受けた浴槽２の排水口１２に一端が接続された排水路１３を前記溝部１１に収納する。該排水路１３の他端側を前記作業用開口部１６に取り付けられた蓋２０の排水路挿通口２４を介して浴槽パン３から引き出して成る。【選択図】        図１
2010031526.tif 000002
【特許請求の範囲】
【請求項１】
浴槽パンの底部から上方に開口する溝部を下方に向けて突出すると共に該溝部に作業用開口部を貫通形成し、作業用開口部にシーリング材を介して取り付けられて作業用開口部を閉塞する蓋を備え、該蓋に排水路挿通口を形成し、浴槽パンで受けた浴槽の排水口に一端が接続された排水路を前記溝部に収納し、該排水路の他端側を前記作業用開口部に取り付けられた蓋の排水路挿通口を介して浴槽パンから引き出して成ることを特徴とする排水構造。
【請求項２】
上記蓋を変形可能な軟質材で形成して成ることを特徴とする請求項１に記載の排水構造。
【請求項３】
上記作業用開口部を溝部の側面から底面に亘って形成して成ることを特徴とする請求項１又は請求項２に記載の排水構造。
【発明の詳細な説明】
【技術分野】
【０００１】
本発明は浴槽内の水を浴槽パンを介して外部に排出する排水構造に関する。
【背景技術】
【０００２】
従来の排水構造としては、例えば特許文献１に示すように、浴槽を受ける浴槽パンの底部に外部排水管に連通するトラップを貫設し、該トラップに浴槽の排水口を連通させて浴槽内の水を排出するものが知られている。
【０００３】
通常、トラップと浴槽との連通は、浴槽から下方に向けて突設した排水口部を浴槽パンの上面に開口したトラップの上開口部に挿入することでなされる。また、浴槽パン上の水は、排水口部とトラップの上開口部との隙間からトラップ内に流入し、浴槽内の水と共に排出できるようにしてある。
【０００４】
ところで、上記排水構造にあっては、浴槽パン上の水を排出するための排水口部とトラップの上開口部との隙間から浴槽パン上に水が逆流する恐れがある。また、設置した浴槽と浴槽パンとの間に十分な空間を形成することができず、浴槽パン内に手や工具等を入れてメンテナンスを行ったり、浴槽パン内の水漏れ等を点検する作業が難しいという問題がある。
【特許文献１】特開２００７−２８４８８０号公報
【発明の開示】
【発明が解決しようとする課題】
【０００５】
本発明は上記従来の問題点に鑑みてなされたものであって、排水路を逆流した水が漏れ出すことを防止できると共に、浴槽パン内に容易に手や工具等を入れてメンテナンスを行ったり、浴槽パン内の水漏れ等を簡単に点検するすることができる排水構造を提供することを課題とする。
【課題を解決するための手段】
【０００６】
上記課題を解決するために請求項１に係る排水構造は、以下の構成を有している。
【０００７】
浴槽パン３の底部７から上方に開口する溝部１１を下方に向けて突出すると共に該溝部１１に作業用開口部１６を貫通形成する。作業用開口部１６にシーリング材２１を介して取り付けられて作業用開口部１６を閉塞する蓋２０を備える。該蓋２０に排水路挿通口２４を形成する。浴槽パン３で受けた浴槽２の排水口１２に一端が接続された排水路１３を前記溝部１１に収納する。該排水路１３の他端側を前記作業用開口部１６に取り付けられた蓋２０の排水路挿通口２４を介して浴槽パン３から引き出して成る。
【０００８】
また、請求項２は請求項１において、以下の構成を有している。上記蓋２０を変形可能な軟質材で形成して成る。
【０００９】
また、請求項３は請求項１又は請求項２において、以下の構成を有している。上記作業用開口部１６を溝部１１の側面から底面に亘って形成して成る。
【発明の効果】
【００１０】
請求項１に係る発明では、一端が浴槽の排水口に接続された排水路の他端側を作業用開口部に取り付けた蓋の排水路挿通口から浴槽パンの外部に引き出すものであり、蓋を取り外した状態においては、浴槽パンの作業用開口部は浴槽パン内に手や工具等を入れたり、浴槽パン内を点検するための開口となる。従って、浴槽を設置した後においても、前記作業用開口部を利用して、浴槽パン内で排水路を構成する配管の接続部分等のメンテナンスを行ったり、水漏れ等の点検を容易に行うことができる。また、排水路は配管や継手を全て水密的に接続して構成することができ、逆流した水が排水路において漏れ出すことを防止できる。
【００１１】
請求項２に係る発明では、請求項１の効果に加えて、蓋を軟質材で形成することで、排水路挿通口の位置とこれに挿通する排水路の位置が多少ずれたとしても、蓋を変形させることで、前記位置ずれを吸収することができ、排水路挿通口に排水路を確実に通すことができる。
【００１２】
請求項３に係る発明では、請求項１又は請求項２において、上記作業用開口部を溝部の側面から底面に亘って形成することで、作業用開口部の面積を十分に確保でき、作業性が一層向上する。
【発明を実施するための最良の形態】
【００１３】
以下、本発明の実施形態の一例を添付図面に基づいて説明する。
【００１４】
本例の排水構造は図２に示す浴室ユニットに適用される。該浴室ユニットは、洗い場の床を構成する床パン１と、浴槽２を受ける浴槽パン３と、図示しない四方の壁パネルや上方の天井パネルを備え、これらで浴室が形成される。
【００１５】
図４に示すように、浴槽床パン３は架台４上に設置される。架台４は、浴槽２の長手方向の両側に配置される浴槽２の短手方向に長いフレーム５ａと、両フレーム５ａ間に略等間隔で架設された浴槽２の長手方向に長い複数（図示例では３本）のフレーム５ｂとで構成される。架台４の四隅部となる各フレーム５ａの両端部はアジャスタボルト６を介して床スラブ等の建物躯体床上に夫々設置される。
【００１６】
浴槽パン３は両フレーム５ａ上に設けられたフレーム５ｂ上に設置される。浴槽パン３は、前記各アジャスタボルト６を操作して架台４の四隅部の高さを変更することにより、設置高さが変更可能となっている。
【００１７】
図３等に示すように、浴槽パン３は浴槽２の長手方向に長い平面視長方形状の底部７を備えている。底部７上には浴槽２の槽部１０の底部が載置される。平面視矩形状の浴槽パン３の底部７の４辺のうち、床パン１側の１辺を除く３辺には背の高い壁部８が一体に立設されており、壁部８は浴槽２のフランジ部９の直下に位置する。槽部１０の床パン１側の壁部を除く三方の壁部の夫々は浴槽パン３の対応する壁部８によって覆われる。
【００１８】
図４及び図５に示すように、浴槽パン３の底部７の床パン１側の端部には、上方に開口する断面コ字状で浴槽２の長手方向に長い溝部１１が形成されている。溝部１１は浴槽パン３の底部７から下方に向けて一体に突出している。以下、溝部１１の両側壁部のうち、床パン１側の側壁部を側壁部２９とする。
【００１９】
溝部１１の長手方向の両側部分１１ａの側壁部２９の上縁は自由端となっている。また、図６に示すように、溝部１１の長手方向の中央部分１１ｂの側壁部２９の上端からは床パン１側の斜め上方に向けて水受け部２８を一体に突出しており、該水受け部２８は両側部分１１ａの側壁部２９の上縁よりも上方及び床パン１側に突出している。
【００２０】
図１や図４に示すように、溝部１１の両側部分１１ａのうち、一方には切欠又は孔からなる作業用開口部１６が貫通形成されている。本例の作業用開口部１６は、溝部１１の側壁部２９の上縁から角部を経て底部に至るまで形成された切欠からなる。作業用開口部１６の開口面積は、浴槽パン３の外側から作業用開口部１６に手や工具を入れて、浴槽パン３内で配管等の接続作業を行ったり、作業用開口部１６から浴槽パン３内の点検作業等を行うことができる大きさである。
【００２１】
図５に示すように槽部１０の底部の床パン１側の端部中央には排水口１２が形成されている。排水口１２には複数の配管１４や継手１５で構成される排水路１３の一端部が接続される。なお、排水路１３の上流側端部は配管で構成しても良いし、排水口１２に取り付けられて槽部１０の下面側に配置される浴槽側トラップで構成しても良い。
【００２２】
排水路１３は、排水口１２から槽部１０の下面に沿って浴槽２の長手方向に伸びて、その端部を床パン１側に向けて屈曲させた上流部１８と、上流部１８の下流端から床パン１側に伸びて、その端部を浴槽２の長手方向に向けて屈曲させた下流部１９とで構成される。上流部１８は浴槽パン３の溝部１１内に収納される。上流部１８の前記屈曲部分となる下流側端部は屈曲自在な蛇腹状の管継手１５ａによって構成され、また、これに接続される下流部１９の上流側端部も、蛇腹状の屈曲自在な管継手１５ｂで構成される。
【００２３】
浴槽パン３の作業用開口部１６には、シーリング材２１を介して蓋２０が取り付けられる。蓋２０は弾性変形可能な軟質材からなり、この軟質材としては耐水性の高いゴム等のエラストマーが挙げられる。具体的に蓋２０の材質は、後述のシーリング材２１を強固に接着可能なＥＰＤＭが用いられる。
【００２４】
蓋２０は、縦板部２２と、縦板部２２の下端から床パン１とは反対側に突出する横板部２３とで構成される。縦板部２２の中央には排水路１３を挿通するための円形の孔からなる排水路挿通口２４が形成されている。
【００２５】
蓋２０はその周縁部が作業用開口部１６の周縁部分にコーキング材からなるシーリング材２１を介して水密的に取り付けられる。シーリング材２１は作業用開口部１６の周縁に亘る。このように蓋２０を取り付けることで、溝部１１の側壁部２９と略面一に配置される縦板部２２と、溝部１１の底部と略面一に配置される横板部２３によって作業用開口部１６が覆われる。
【００２６】
蓋２０の排水路挿通口２４には、浴槽パン３側より、溝部１１内に収納した排水路１３の上流部の下流側端部（詳しくは管継手１５ａの下流側端部）が挿通される。なお、管継手１５ａの下流側端部は、排水路挿通口２４の周縁部に亘るコーキング材からなるシーリング材を介して蓋２０に取り付けられるものであっても良く、この場合は上流部１８も蓋２０に対して水密的に取り付けることができる。
【００２７】
また、溝部１１の両側部分１１ａの側壁部２９の上縁には後述の水受け部材３０の浴槽パン３側の端部が係止される。
【００２８】
上記浴槽パン３の底部７は溝部１１が形成されていない部分がフレーム５ａ上に設置される。これにより、溝部１１は２本のフレーム５ｂの間、詳しくは、最も床パン１側に位置するフレーム５ｂと、次に床パン１側に位置するフレーム５ｂとの間に配置される。
【００２９】
一方、床パン１は図示しないアジャスタボルトを介して建物躯体床上に設置される。図５に示すように、床パン１の浴槽パン３側の端部は架台４の最も床パン１側に位置するフレーム５ｂ上に支持具２７を介して支持される。
【００３０】
床パン１の浴槽パン３側の縁部には堰部２６が立ち上げ形成され、この堰部２６により床パン１上の水が浴槽パン３側に流れることが防止される。
【００３１】
図２に示すように、床パン１の浴槽パン３側の端部中央には排水出口１７が形成され、床パン１の底部には排水出口１７側に向かって下り勾配がつけられている。
【００３２】
図６のように、排水出口１７には床パン１の下面側に配置される洗い場側トラップ２５を取り付けてあり、排水出口１７は洗い場側トラップ２５内に連通している。洗い場側トラップ２５には図示しない排水流路の上流端が連通接続される。これにより、床パン１の底部上の水を、排水出口１７から洗い場側トラップ２５を経て排水流路に流入させ、外部へと排出できる。
【００３３】
図６のように、床パン１の浴槽パン３側の端部中央には浴槽パン３の水受け部２８の端縁部が載置され、床パン１上の水が堰部２６の長さ方向の中央部を乗り越えた場合に、該水を水受け部２８で受け、浴槽パン３の底部上に流すようになっている。
【００３４】
また、図５のように、床パン１の浴槽パン３側の端部の両側部分と、溝部１１の長手方向の中央部分１１ｂの側壁部２９との間には水受け部材３０が配設してあり、床パン１上の水が堰部２６の長さ方向の両側部分を乗り越えた場合に、該水を水受け部材３０で受けて浴槽パン３側に流せるようになっている。浴槽パン３側に流れ込む水は通常少量であるため自然蒸発し、浴槽パン３内に水が溜まることはほとんどない。
【００３５】
洗い場側トラップ２５の側面部には前記排水流路とは別に排水路１３の下流端（下流部１９の下流端）が接続されている。これにより、浴槽２内の水は、排水口１２から排水路１３を経て洗い場側トラップ２５に流入し、この後、前記排水流路から外部へと排出される。つまり、本例では、浴槽２内の水が床パン１上の水を排出するための排水流路を用いて外部に排出される。
【００３６】
また、床パン１の浴槽パン３側の端部上には、槽部１０の床パン１側の壁部を覆うエプロン３１が立設される。これにより、槽部１０は、浴槽パン３の底部及び三方の壁部８、エプロン３１によって囲まれた空間に収納され、浴槽２の保温効果が高められる。
【００３７】
上記浴室ユニットの施工は例えば以下のように行われる。
【００３８】
まず、建物躯体床上にアジャスタボルト６を介して架台４を設置し、この架台４上に浴槽パン３を設置する。次に、上流部１８を取り付けた浴槽２を浴槽パン３上に設置し、該上流部１８を浴槽パン３の溝部１１内に収納する。
【００３９】
次に、作業用開口部１６にシーリング材２１を介して蓋２０を取り付けると共に該蓋２０の排水路挿通口２４に管継手１５ａの下流側端部を挿通させる。
【００４０】
次に、洗い場側トラップ２５を取り付けた床パン１を建物躯体床上に設置すると共に、該床パン１の浴槽パン３側の端部を架台４上に設けた支持具２７上に支持させる。次に、床パン１と、溝部１１の長手方向の中央部分１１ｂの側壁部２９との間に形成された隙間３３を利用して、管継手１５ａと管継手１５ｂを接続し、この後、上方から水受け部材３０を取り付けて前記隙間３３を覆う。そして、エプロン３１を立設し、壁パネルを立設し、この後、壁パネル上に天井パネルを設置する。なお、施工順序はこれに限定されるものではなく、各作業は前後しても構わない。
【００４１】
以上説明した本例の排水構造は、一端が浴槽２の排水口１２に接続された排水路１３の他端側を作業用開口部１６に取り付けた蓋２０の排水路挿通口２４から浴槽パン３の外部に引き出すものである。
【００４２】
ここで、前記蓋２０を取り外した状態においては、浴槽パン３の作業用開口部１６は浴槽パン３内に手や工具等を入れたり、浴槽パン３内を点検するための開口となる。従って、浴槽２を設置した後においても、前記作業用開口部１６を利用して、浴槽パン３内で排水路１３を構成する配管１４の接続部分等のメンテナンスを行ったり、水漏れ等の点検を容易に行うことができる。
【００４３】
また、排水路１３は配管１４や継手１５を全て水密的に接続して構成することができ、逆流した水が排水路１３において漏れ出すことを防止できる。
【００４４】
また、本例の蓋２０は軟質材で形成してあるので、排水路挿通口２４の位置とこれに挿通する排水路１３の位置が多少ずれたとしても、蓋２０を変形させることで、前記位置ずれを吸収することができ、排水路挿通口２４に排水路１３を確実に通すことができる。
【００４５】
また、作業用開口部１６に取り付けた蓋２０を床パン１側に変形させて蓋２０の浴槽パン３側の空間を広げたり、蓋２０を折り曲げて作業用開口部１６の一部を開放して手や工具を入れるための開口としたりすることができ、管継手１５ａをこれよりも上流側の配管１４に簡単に接続する等、施工性、メンテナンス性が向上する。
【００４６】
また、本例の上流部１８と下流部１９の接続部分は屈曲自在の管継手１５ａ、１５ｂによって構成されている。このため、浴槽パン３及び床パン１の設置後において上流部１８と下流部１９を簡単に接続でき、また、前記位置ずれを吸収することもできる。
【００４７】
なお、本例では、上流部１８の下流側端部を排水路挿通口２４に挿通して蓋２０から床パン１側に突出させ、これに下流部１９の上流側端部を浴槽パン３の外側において接続したが、下流部１９の上流側端部を排水路挿通口２４に挿通して蓋２０から浴槽パン３側に突出させ、これに上流部１８の下流側端部を浴槽パン３の内側において接続しても良い。
【００４８】
また、本例では、上流部１８の下流側端部と、下流部１９の上流側端部を共に屈曲自在の管継手１５ａ、１５ｂによって構成したが、一方のみを屈曲自在の管継手としても良いし、また、共に屈曲しない管継手で構成しても良い。
【００４９】
また、作業用開口部１６は溝部１１の側面から底面に亘って形成したが、溝部１１の側面にのみ形成しても良いし、溝部１１の底面にのみ形成しても良く、この場合も、作業用開口部１６は合致する形状を有する蓋により閉塞されるものである。
【図面の簡単な説明】
【００５０】
【図１】本発明の実施形態の一例であり、浴室ユニットを下面側から見た要部拡大斜視図である。
【図２】同上の壁パネルや天井パネルの図示を省略した浴室ユニットの斜視図である。
【図３】同上の壁パネルや天井パネル、エプロンの図示を省略した浴室ユニットの斜視図である。
【図４】同上の壁パネルや天井パネルの図示を省略した浴室ユニットの下面側から見た斜視図である。
【図５】同上の浴室ユニットの蓋付近を切欠断面で示す斜視図である。
【図６】同上の浴室ユニットの排水出口付近を切欠断面で示す斜視図である。
【符号の説明】
【００５１】
２  浴槽
３  浴槽パン
７  底部
１１  溝部
１２  排水口
１６  作業用開口部
２０  蓋
２１  シーリング材
２４  排水路挿通口
【図１】
2010031526.tif 000003
【図２】
2010031526.tif 000004
【図３】
2010031526.tif 000005
【図４】
2010031526.tif 000006
【図５】
2010031526.tif 000007
【図６】
2010031526.tif 000008